(57)【特許請求の範囲】
【請求項１】
歯の修復中に使用される歯科用器具であって、
第１の側壁を有する歯科用ウェッジと、
前記歯の修復部位において第１の量の歯科用修復材を硬化させるために、前記歯科用ウェッジに関連して動作する第１の発光ダイオードとを備え、
前記第１の発光ダイオードが前記歯科用ウェッジの前記第１の側壁に設けられている、歯科用器具。
【請求項２】
前記第１の発光ダイオードは、該第１の側壁に埋め込まれている、請求項１に記載の歯科用器具。
【請求項３】
前記第１の発光ダイオードは、該第１の側壁の外面に配置されている、請求項１に記載の歯科用器具。
【請求項４】
前記第１の発光ダイオードは、該第１の側壁の内面に配置されている、請求項１に記載の歯科用器具。
【請求項５】
前記第１の発光ダイオードは、４００ｎｍ〜５００ｎｍの範囲の周波数を有する光出力を生成する、請求項１に記載の歯科用器具。
【請求項６】
前記第１の発光ダイオードは誘導的に電力が供給される、請求項１に記載の歯科用器具。
【請求項７】
前記第１の発光ダイオード、少なくとも第１のコンデンサー及び二次誘導コイルを備える発光ダイオード回路を更に具備する、請求項１に記載の歯科用器具。
【請求項８】
前記発光ダイオード回路は、少なくとも第１の抵抗器を更に備える、請求項７に記載の歯科用器具。
【請求項９】
前記歯科用ウェッジは、前記修復部位に対する最大の光の透過を促進するように透明又は透光性材料から構成されている、請求項１に記載の歯科用器具。
【請求項１０】
電源、少なくとも第１のコンデンサー及び一次誘導コイルを備える電源回路を更に具備し、前記電源は、前記第１の発光ダイオードに対して誘導的に電力を供給する、請求項１に記載の歯科用器具。
【請求項１１】
前記第１の発光ダイオード、少なくとも第１のコンデンサー及び二次誘導コイルを備える発光ダイオード回路を更に具備し、前記一次誘導コイル及び前記二次誘導コイルは共振結合されている、請求項１０に記載の歯科用器具。
【請求項１２】
歯の修復中に使用される歯科用ウェッジ及び硬化ライトシステムであって、
第１の側壁を有する歯科用ウェッジと、
前記歯の修復部位において第１の量の歯科用修復材を硬化させるために、前記歯科用ウェッジに関連して動作し、前記歯科用ウェッジの前記第１の側壁に設けられている第１の発光ダイオードと、
前記第１の発光ダイオードに誘導結合された電源と、
を具備するシステム。
【請求項１３】
前記第１の発光ダイオードは該第１の側壁に埋め込まれている、請求項１２に記載のシステム。
【請求項１４】
前記第１の発光ダイオードは、該第１の側壁の外面に配置されている、請求項１２に記載のシステム。
【請求項１５】
前記第１の発光ダイオードは、該第１の側壁の内面に配置されている、請求項１２に記載のシステム。
【請求項１６】
前記第１の発光ダイオードは、４００ｎｍ〜５００ｎｍの範囲の周波数を有する光出力を生成する、請求項１２に記載のシステム。
【請求項１７】
前記第１の発光ダイオード、少なくとも第１のコンデンサー及び二次誘導コイルを備える発光ダイオード回路を更に具備する、請求項１２に記載のシステム。
【請求項１８】
前記発光ダイオード回路は、少なくとも第１の抵抗器を更に備える、請求項１７に記載のシステム。
【請求項１９】
前記電源、第１のコンデンサー及び一次誘導コイルを備える電源回路を更に具備する、請求項１２に記載のシステム。
【請求項２０】
少なくとも第１の抵抗器を更に具備する、請求項１９に記載のシステム。
【請求項２１】
前記電源は、共振誘導結合によって前記発光ダイオードに電力を送信する、請求項１２に記載のシステム。
【請求項２２】
前記電源、少なくとも第１のコンデンサー及び一次誘導コイルを備える電源回路を更に具備し、前記一次誘導コイル及び前記二次誘導コイルは共振結合されている、請求項１７に記載のシステム。
【請求項２３】
前記歯科用ウェッジは、前記修復部位に対する最大の光の透過を促進するように透明又は透光性材料から構成されている、請求項１２に記載のシステム。
【発明の詳細な説明】
【技術分野】
【０００１】
本発明は、包括的には、修復歯科学の分野に関し、より詳細には、歯の修復及び歯科用修復材の硬化中に使用される歯科用ウェッジに関する。
【背景技術】
【０００２】
歯科用ウェッジは、歯の修復中、通常は歯科用マトリックスバンド及び歯科用マトリックスバンドリテーナーとともに使用される装置である。歯科用ウェッジの主な目的は、修復されている歯に対して歯科用マトリックスを押圧することである。これにより、マトリックスは、歯を封止し、歯科用修復材を適所に維持することができる。歯科用ウェッジの他の目的は、歯を隔離し、歯科医が歯を修復するのに十分な空間を可能にすることである。歯科用ウェッジはまた、圧力を加えかつ出血を阻止するための歯肉縁シールとしての役割も果たす。
【０００３】
当初、歯科用ウェッジは木材から作製されていたが、最近の歯科用ウェッジはプラスチックである。歯科用ウェッジは、種々の隣接歯間領域に適合するように様々なサイズで提供されている。
【発明の概要】
【発明が解決しようとする課題】
【０００４】
歯科用コンポジットレジンを用いて直接修復を行う場合、歯肉縁及び隣接歯間領域等の領域は、硬化ライトが届くのが困難である。これにより、修復物内に未硬化コンポジットの領域が残る。これによって、修復物がゆがむことになる可能性があり得る。未硬化コンポジット材料の大部分は、隣接歯間領域に、かつ修復物の最深部分に見られる。
【課題を解決するための手段】
【０００５】
請求の範囲に記載された発明の歯科用器具は、直接修復処置中に歯科専門家により障害を克服しようとするものであり、他のタイプの歯の修復にも同様に適用可能である。本発明は、歯の修復中に使用される歯科用器具に係るものであり、歯科用器具は、歯科用ウェッジと、歯の修復部位において第１の量の歯科用修復材を硬化させる、歯科用ウェッジ内に又上に配置された第１の発光ダイオードとを備える。歯科用ウェッジは、第１の側壁及び第２の側壁を備えることができ、第１の側壁は、修復部位に隣接するか又は隣接部位に近接して位置合わせされる。発光ダイオードは、４００ｎｍ〜５００ｎｍの周波数で光出力を提供するように選択され、別個の電源によって誘導的に電力が供給される。電源は一次回路の一部であり、一次回路はまた、少なくとも第１のコンデンサー及び一次誘導コイルを備えている。一次回路は、一次回路の過負荷を防止するために少なくとも第１の抵抗器を更に備えることができる。発光ダイオードは二次回路の一部であり、二次回路は、少なくとも第１のコンデンサー及び二次誘導コイルを更に備えている。二次回路は、二次回路の過負荷を防止するために少なくとも第１の抵抗器を更に備えることができる。二次回路は、歯科用ウェッジの第１の側壁に埋め込まれるか、又は歯科用ウェッジの内面若しくは外面に取り付けられることができる。歯科用ウェッジは、発光ダイオードから歯の修復部位への光出力の透過を容易にしかつ促進するように、透明な又は透明度の高い材料から構成される。
【図面の簡単な説明】
【０００６】
【図１】本発明の一実施形態の側面図である。
【図２Ａ】本発明の別の実施形態の上面図である。
【図２Ｂ】本発明の別の実施形態の上面図である。
【図３】図２に示す本発明の実施形態の斜視図である。
【図４Ａ】図２Ａに示す本発明の実施形態の背面図である。
【図４Ｂ】図２Ｂに示す本発明の実施形態の背面図である。
【図５】本発明の一実施形態の回路図である。
【図６】本発明の別の実施形態の上面図である。
【図７】本発明の別の実施形態の回路図である。
【図８】図２に示す本発明の実施形態の斜視図である。
【図９】図２に示す本発明の実施形態の斜視図である。
【発明を実施するための形態】
【０００７】
図１〜図７は、本発明の歯科用器具及びシステムの第１の実施形態及び第２の実施形態を示す。図８及び図９は、歯の修復で使用されている本発明の歯科用器具を示す。可能な場合はいつでも、同じ参照番号を用いて複数の図を通して同一の又はこれに類する構成要素を特定する。
【０００８】
まず図１を参照すると、本体１２及びハンドル１４を備えた歯科用ウェッジ１０が示されており、本体１２は、先端１６からハンドル１４まで延在している。本体１２は、発光ダイオード回路２０が埋め込まれているか又は取り付けられている第１の側壁１８を更に備えている。図２〜図４は、歯科用ウェッジ１０の第２の変形を示し、それもまた発光ダイオード回路２０を備えている。歯科用ウェッジ１０は、本体１２及びハンドル１４を備え、本体は先端１６からハンドル１４まで延在している。本体１２は、第１の側壁１８及び第２の側壁２２を更に備えている。第１の側壁１８及び第２の側壁２２は、尾根部又は背部２４に向かって互いに近づき、尾根部又は背部２４において結合している。図３に見られるように、尾根部又は背部２４は、ハンドル１４と先端１６との間で曲線を描くように伸張することができる。第１の側壁１８及び第２の側壁２２の底縁又は縁もまた曲線状にすることができる。
【０００９】
図２及び図４を参照すると、側壁１８、２２は、内部空隙又は空間２６を間に形成するように間隔を空けて配置されている。第１の側壁１８及び第２の側壁２２は、各々、外側に面する外面１８ａ、２２ａと、内側に面しかつ内部空隙２６の境界を画定する内面１８ｂ、２２ｂとを有している。図１及び図２両方に示される歯科用ウェッジ１０は、発光ダイオード回路２０から修復されている歯の修復部位までの硬化光出力の最大透過を促進するように、透明な又は実質的に透光性の材料から構成されている。この目的に対する好適なポリマー材料としては、ポリカーボネート（例えば、Ｌｅｘａｎ（登録商標）ポリカーボネート）、アクリル樹脂（例えば、ポリメチルメタクリレート）、ポリエステル（例えば、ポリエチレンテレフタレート）及びポリオレフィン（例えば、ポリエチレン、ポリプロピレン）が挙げられる。歯科用ウェッジ１０に対して、種々のウェッジサイズに対する色分けとして軽微な着色で全体的に又は部分的に色をつけることができる。
【００１０】
図５を参照すると、発光ダイオード回路２０はシステムにおける「二次」回路であり、システムは、発光ダイオード回路２０及び「一次」電源回路２８を備えている。この構成では、電源回路２８は送信器であり、発光ダイオード回路２０は受信器である。発光ダイオード回路２０は、少なくとも第１の発光ダイオード３０、少なくとも第１のコンデンサー３２及び二次誘導コイル３４を備えている。発光ダイオード回路２０は、回路２０の過負荷を防止する少なくとも第１の抵抗器等、更なる回路部品３６もまた備えることができる。電源回路２８は、電源３６、少なくとも第１のコンデンサー３８及び一次誘導コイル４０を備えている。電源回路２８は、回路の過負荷を防止する、少なくとも第１の抵抗器等、追加の回路部品４２を備えることができる。
【００１１】
この構成では、電源回路２８は、共振誘導結合を介して発光ダイオード回路２０に電力を提供する。共振結合は、システムの効率を向上させ、非共振結合における一次誘導コイル及び二次誘導コイルのオーバーラップする磁場があるという要件をなくす。共振結合では、電源回路２８及び発光ダイオード回路２０は、容量装荷型であり、「同調」ＬＣ（インダクター−コンデンサー）回路を形成している。一次誘導コイル４０及び二次誘導コイル３４が共通の周波数で共振する場合、電力は、コイル径の数倍の範囲でコイル間において効率的に送信される。
【００１２】
誘導給電は、送信器、すなわち本発明では電源回路２８から、受信器、すなわち本発明では発光ダイオード回路２０まで無線で電力を提供して、発光ダイオード３０を作動させる。発光ダイオード３０は、その作動状態で、歯を修復するのに使用される第１の量の歯科用修復材を硬化させるのに必要な波長で、修復部位に光エネルギーを提供する。この無線接続は、従来の配線接続に対して多数の利点を提供する。電源回路２８は、発光ダイオード３０が作動するまで患者の口の外側にとどまり、感電の危険を低減させる。電源回路２８と発光ダイオード回路２０との間に、比較的高レベルの絶縁を達成することができる。
【００１３】
図１及び図２の歯科用ウェッジ、及び修復されている歯５２と隣接する歯５６との間の歯間空間５４に関連するサイズの考慮事項に対応するために、発光ダイオード回路２０は、歯科用ウェッジ１０に埋め込まれるか又は取り付けられるようなサイズである。これは、歯科用ウェッジ１０の機能を妨げ、及び／又は歯科専門家が作業しなければならない限られた歯間空間をふさぐのを回避するために必要である。薄膜ＬＥＤ及び回路部品を使用することにより、これらの考慮事項が満足される。好ましくは、発光ダイオード回路２０は、修復されている歯に向いている側である歯科用ウェッジの第１の側壁１８（図１、図２Ａ）に埋め込まれる。電源回路２８及び発光ダイオード回路２０両方の部品は、発光ダイオード３０をして、４００ｎｍ〜５００ｎｍ（ピーク波長は４６０ｎｍ）、すなわち歯科用修復材を硬化させる好ましい波長の範囲で、定常青色光出力を放出させるように選択されている。他の実施形態では、発光ダイオード回路は、第１の側壁１８の外面１８ａに取り付けることができ（図２Ｂ）、又は第１の側壁の内面１８ｂに取り付けることもできる（図４Ｂ）。他の実施形態では、２つ以上の第１の発光ダイオード回路２０ａ、２０ｂ（図６）を使用することができ、及び／又は各発光ダイオード回路２０が、２つ以上の発光ダイオード３０ａ、３０ｂを備えることができる（図７）。
【００１４】
動作時、図８及び図９に示すように、歯科専門家は、修復されている歯５２に修復部位５０を準備し、修復されている歯５２と隣接する歯５６との間の歯間空間５４に歯科用ウェッジ１０を挿入する。ＬＥＤ回路２０を含む歯科用ウェッジの第１の側壁１８は、修復されている歯５２に隣接し、好ましくは、修復部位５０と位置合わせされるか又は修復部位５０に近接している。歯科専門家は、直接修復処置を通常の方法で行う。歯科専門家が、第１の量の歯科用修復材を硬化させる用意ができると、電源回路２８が患者の顎に近づけられて、発光ダイオード回路２０に誘導的に電力を供給する。発光ダイオード３０の両端に電圧を印加することにより、発光ダイオードが作動し、歯科用修復材を硬化させるために必要な光出力が発生する。これらの図に示すように、本発明による歯科用器具は、従来の硬化ライトの使用では歯科用修復材を完全にかつ迅速に硬化させるのには十分でない可能性がある歯肉及び隣接歯間領域の周囲で、歯科用修復材を硬化させるのに役立つ。
【００１５】
本発明について、具体的な応用に関連して記載したが、この応用は本質的に例示的なものであり、本発明のあり得る応用に対して限定するようには意図されていない。本発明の趣旨及び範囲から逸脱することなく、変更及び変形を行うことができることが理解されよう。本開示は、本発明の例示として意図されており、図示し記載する具体的な実施形態に本発明を限定するようには意図されていないことが理解されよう。本開示は、添付の特許請求の範囲によって、特許請求の範囲内にある全てのこうした変更を包含するように意図されている。
【図１】
0006662788.tif 000002
【図２Ａ】
0006662788.tif 000003
【図２Ｂ】
0006662788.tif 000004
【図３】
0006662788.tif 000005
【図４Ａ】
0006662788.tif 000006
【図４Ｂ】
0006662788.tif 000007
【図５】
0006662788.tif 000008
【図６】
0006662788.tif 000009
【図７】
0006662788.tif 000010
【図８】
0006662788.tif 000011
【図９】
0006662788.tif 000012